(57)【要約】  結束バンド５８によってワイヤハーネス１８と固定されて用いるワイヤハーネスプロテクタ１０であって、プロテクタ本体１２と、カバー部９０を有する蓋体１６とを有し、カバー部９０は、結束バンド５８の切断面６４を覆う、ワイヤハーネスプロテクタ１０。ワイヤハーネスプロテクタ１０とワイヤハーネス１８とを備えるハーネスアセンブリ。
2019103030.tif 000002
【特許請求の範囲】
【請求項１】
結束バンドによってワイヤハーネスと固定されて用いるワイヤハーネスプロテクタであって、
プロテクタ本体と、カバー部を有する蓋体とを有し、
前記カバー部は、前記結束バンドの切断面を覆う、ワイヤハーネスプロテクタ。
【請求項２】
請求項１に記載のワイヤハーネスプロテクタであって、
前記プロテクタ本体が、側壁の一部に設けられた切欠部から延びる分岐ハーネス保持部を含み、
前記側壁には、本体補強リブに一体形成された結束バンド挿通孔が突設される、ワイヤハーネスプロテクタ。
【請求項３】
請求項２に記載のワイヤハーネスプロテクタであって、
分岐ハーネス引出口と、前記本体補強リブとを連結するハーネス支持板を備え、
前記ハーネス支持板は、前記側壁に一体に形成される、ワイヤハーネスプロテクタ。
【請求項４】
請求項２また３のいずれか一方に記載のワイヤハーネスプロテクタであって、
前記分岐ハーネス保持部の開口端面が、前記プロテクタ本体の開口端面より下方に位置し、
前記蓋体は、前記プロテクタ本体の前記開口端面から前記分岐ハーネス保持部に向かって延び出す垂壁部と、該垂壁部から突出して前記分岐ハーネス保持部の上方開口部を覆う分岐蓋体とを含む、ワイヤハーネスプロテクタ。
【請求項５】
請求項４に記載のワイヤハーネスプロテクタであって、
前記分岐蓋体を前記垂壁部に補強支持する蓋体補強リブが、前記分岐蓋体と前記垂壁部に連結して設けられ、
前記カバー部が前記蓋体補強リブを含む、ワイヤハーネスプロテクタ。
【請求項６】
請求項１から５のいずれか１項に記載のワイヤハーネスプロテクタであって、
前記ワイヤハーネスは、エンジン用のワイヤハーネスである、ワイヤハーネスプロテクタ。
【請求項７】
請求項１から６のいずれか１項に記載のワイヤハーネスプロテクタと、
前記ワイヤハーネスと、を備える、ハーネスアセンブリ。
【発明の詳細な説明】
【技術分野】
【０００１】
本発明は、ワイヤハーネスプロテクタ及びハーネスアセンブリに関する。
【背景技術】
【０００２】
従来から、自動車等の車両に配索されるワイヤハーネスは、配索される領域における周辺部材との干渉を防止する等の目的により、必要に応じて、ワイヤハーネスプロテクタに挿通状態で収容保持された状態で、車両の適所に固定されている。【０００３】
ところで、ワイヤハーネスプロテクタのハーネス引出口には、ワイヤハーネスプロテクタとワイヤハーネスの相対移動を阻止する固定構造が設けられている。例えば、特開２０１４−１５８３１３号公報（特許文献１）に記載のように、ワイヤハーネスプロテクタのハーネス引出口には、ワイヤハーネスを支持するベラ部が、ハーネス引出口から外方に突出して設けられており、かかるベラ部に設けられた結束バンド挿通孔に挿通保持された結束バンドを用いてベラ部にワイヤハーネスを結束固定する固定構造が広く用いられている。【０００４】
なお、ベラ部とは、ワイヤハーネスプロテクタから突出して設けられる部分である。結束バンドは、ベラ部に設けられた穴を通されてワイヤハーネスプロテクタに取り付けられる。例えば、特開２０１４−１５８３１３号公報（特許文献１）では、結束バンド保持部がベラ部である。
【先行技術文献】
【特許文献】
【０００５】
【特許文献１】特開２０１４−１５８３１３号公報
【発明の概要】
【発明が解決しようとする課題】
【０００６】
ところで、ベラ部の配置は、例えば、プロテクタ本体の側壁である。これにより、ベラ部はワイヤハーネスプロテクタから外方に突出して設けられていることから、ベラ部の結束バンド挿通孔に挿通保持された結束バンドも外部に露呈されることとなる。それゆえ、特許文献１の図２に示されるように結束バンドのバンド切断面が外部に露呈することが避けられず、作業者やユーザがバンド切断面に接触したり、ワイヤハーネスの配索時にバンド切断面が他部材と接触するおそれもあった。【０００７】
本発明は、上述の事情を背景に為されたものであって、その解決課題は、ワイヤハーネスプロテクタのハーネス引出口に固定される結束バンドの切断面を覆うことができる、新規な構造のワイヤハーネスプロテクタを提供することにある。
【課題を解決するための手段】
【０００８】
本発明者らが、ワイヤハーネスプロテクタのベラ部に固定される結束バンドの固定構造について検討した結果、従来のハーネスプロテクタでは、結束バンドの切断面が人や他部材と接触するおそれがあることが明らかになった。
そこで、本発明者らは、ワイヤハーネスプロテクタに固定される、結束バンドの切断面が人や他部材と接触することを防止し得る形状について検討した。その結果、ワイヤハーネスプロテクタの蓋体に一体的にカバー部を形成し結束バンドの切断面を覆う形状を知見した。これにより、結束バンドの切断面はカバー部に覆われている。したがって、本発明のワイヤハーネスプロテクタは、人や他部材が結束バンドの切断面と接触することを有利に防止できるようになっている。また、結束バンドの切断面をカバー部で覆うことができることから、見栄えの向上も図ることができる。さらに、カバー部は蓋体に設けられていることから、部品点数の増加や取扱性の複雑化を伴うことなく、結束バンドの切断面が人や他部材に接触する問題を解決することができる。【０００９】
本発明によれば、
結束バンドによってワイヤハーネスと固定されて用いるワイヤハーネスプロテクタであって、
プロテクタ本体と、カバー部を有する蓋体とを有し、
前記カバー部は、前記結束バンドの切断面を覆う、ワイヤハーネスプロテクタが提供される。
【発明の効果】
【００１０】
本発明によれば、人や他部材が結束バンドの切断面と接触することを有利に防止できるワイヤハーネスプロテクタが提供される。
【図面の簡単な説明】
【００１１】
上述した目的、およびその他の目的、特徴および利点は、以下に述べる好適な実施の形態、およびそれに付随する以下の図面によってさらに明らかになる。【００１２】
【図１】本発明の一実施形態としてのワイヤハーネスプロテクタを示す側面図。
【図２】図１の中央部を斜め上方から見た場合の拡大斜視図。
【図３】図１の中央部を斜め下方から見た場合の拡大斜視図。
【図４】図１に示す本実施形態のワイヤハーネスプロテクタのプロテクタ本体を示す平面図。
【図５】図４に示す本実施形態のワイヤハーネスプロテクタのプロテクタ本体を示す斜視図。
【図６】図１に示す本実施形態のワイヤハーネスプロテクタの蓋体を示す斜視図。
【図７】図６に示す本実施形態のワイヤハーネスプロテクタの蓋体を示す底面図。
【発明を実施するための形態】
【００１３】
以下、本発明の実施形態について、図面を参照しつつ説明する。なお、すべての図面において、同様な構成要素には同様の符号を付し、適宜説明を省略する。
【００１４】
本実施形態に係るワイヤハーネスプロテクタは、
結束バンドによってワイヤハーネスと固定されて用いるワイヤハーネスプロテクタであって、
プロテクタ本体と、カバー部を有する蓋体とを有し、
前記カバー部は、前記結束バンドの切断面を覆う。
【００１５】
＜ワイヤハーネスプロテクタ１０の用途＞
本実施形態に係るワイヤハーネスプロテクタは、配置される空間の確保が難しいワイヤハーネス、または、周辺部品との干渉を避ける必要のあるワイヤハーネスについて、人や他部材が結束バンドの切断面と接触することを防止できる観点で好ましい。
本実施形態に係るワイヤハーネスプロテクタは、例えば、エンジンと車両ボデーの間に配置されるワイヤハーネスの動きを制限し、保護するために有効に用いられる。エンジンと車両ボデーの間に配置されるワイヤハーネスは、他の自動車用ワイヤハーネスと比べて、ワイヤハーネスの配置される空間の制限が大きく、配置時及び配置後に結束バンドの切断面が人や他部材と接触するおそれを低減したいという要求がある。このようなエンジンと車両ボデーの間に配置されるワイヤハーネスに対して、本実施形態に係るワイヤハーネスプロテクタを用いることで、結束バンドの切断面が人や他部材と接触することを有利に防止し、見栄えの向上も図ることができる観点で好ましい。
【００１６】
＜ワイヤハーネスプロテクタ１０＞
図１〜７には、本発明の一実施形態としてのワイヤハーネスプロテクタ１０が、示されている。ワイヤハーネスプロテクタ１０は、図４〜５に示す樋状に延びるプロテクタ本体１２と、プロテクタ本体１２の上方開口部１４を覆う図６〜７に示す蓋体１６を有して構成されている。なお、本実施形態において、樋とは、例えば、断面形状が半円弧、凹字、Ｖ字、逆台形で上面開口となっている溝、及び、溝の組み合わせを意図する。
かかるワイヤハーネスプロテクタ１０は、プロテクタ本体１２内にワイヤハーネス１８を挿通状態で収容して用いられる。
以下の説明において、上方とは、図１中の上方、下方とは、図１中の下方、また前方とは、図１中の左方、後方とは、図１中の右方を言うものとする。なお、理解を容易とするため、図４では、仮想線でワイヤハーネス１８を記載している。
【００１７】
＜プロテクタ本体１２＞
図４〜５に示されているように、プロテクタ本体１２は、ワイヤハーネス１８の長さ方向（図４〜５中、左右方向）に沿って延びる底壁２０と、底壁２０の幅方向（図４中、上下方向）両側縁部から立ち上がる一対の側壁２２ａ，２２ｂとを含んで樋状に延びる構成とされている。すなわち、プロテクタ本体１２は、ワイヤハーネス１８の長さ方向に沿って延びて長さ方向に直交する幅方向で対向配置された一対の側壁２２ａ，２２ｂを有しているのである。
かかるプロテクタ本体１２は、例えばポリプロピレン（ＰＰ）、ポリアミド（ＰＡ）といった合成樹脂により射出成形等によって一体形成されている。なお、プロテクタの位置、形状、用途に応じて、プロテクタ本体１２に対して、プロテクタ本体１２とは別体の部品を取り付けることは限定されない。
また、図４に示されているように、プロテクタ本体１２は、全体として、プロテクタ本体１２の長手方向（図４中、左右方向）両端部分が下方傾斜された下方傾斜部２４ａ，２４ｂを有している。
【００１８】
＜幹線ハーネス引出口２６ａ，分岐ハーネス引出口２６ｂ，２６ｃ＞
図４に示されているように、ワイヤハーネス１８は、プロテクタ本体１２の長手方向の一方側である前方側（図４中、左側）に設けられた幹線ハーネス引出口２６ａにおいて、幹線１８ａが長手方向に延び出している。一方、プロテクタ本体１２の長手方向の他方側である後方側（図４中、右側）には、２箇所に分岐ハーネス引出口２６ｂ，２６ｃが設けられている。分岐ハーネス引出口２６ｂはプロテクタ本体１２の後端部に設けられており、幹線１８ａが二分されて２本の分岐線１８ｂ，１８ｂとして長手方向後方に向かって延び出している一方、分岐ハーネス引出口２６ｃはプロテクタ本体１２の長手方向中央部に設けられており、幹線１８ａの一部が支線１８ｃとして分岐されて後方斜め手前側に向かって延び出して構成されている。そして、幹線ハーネス引出口２６ａには、底壁２０および一対の側壁２２ａ，２２ｂの内周の略全周に亘って突出する周状突起２８ａ（本実施形態では４本）が設けられている。一方、分岐ハーネス引出口２６ｂの底壁２０には、２本の分岐線１８ｂ，１８ｂを分離するために上方に向かって略矩形断面形状で突出する離隔壁３０が設けられており、離隔壁３０と底壁２０と側壁２２ａおよび離隔壁３０と底壁２０と側壁２２ｂの内周の略全周に亘って突出する周状突起２８ｂ（本実施形態では２本）が設けられている。これにより、プロテクタ本体１２の幹線ハーネス引出口２６ａおよび分岐ハーネス引出口２６ｂから外方に向かって延び出すワイヤハーネス１８の幹線１８ａおよび分岐線１８ｂ，１８ｂをそれぞれ保護する図示しないコルゲートチューブを、プロテクタ本体１２に対して固定可能となっている。また、幹線ハーネス引出口２６ａおよび分岐ハーネス引出口２６ｂにおけるプロテクタ本体１２の一方の側壁２２ａの内面および離隔壁３０の側壁２２ａ側の外面において内方に向かって略矩形断面形状で突出する押えリブ３２が設けられている。かかる押えリブ３２に図示しないコルゲートチューブの端面が当接することにより、コルゲートチューブのプロテクタ本体１２内への入り込み量が制限されるようになっている。さらに、幹線ハーネス引出口２６ａおよび分岐ハーネス引出口２６ｂにおけるプロテクタ本体１２の底壁２０には、板厚方向に貫通する略矩形断面形状の貫通孔３４が形成されている。これにより、コルゲートチューブがプロテクタ本体１２に対して所定の入り込み量で挿入されていることを、ワイヤハーネスプロテクタ１０の組付け後であっても容易に確認できるようになっている。
【００１９】
＜分岐ハーネス保持部３８＞
加えて、図４〜５に示されているように、分岐ハーネス引出口２６ｃは、プロテクタ本体１２の長手方向中央部に設けられている。より詳細には、プロテクタ本体１２の一対の側壁２２ａ，２２ｂのうち、側壁２２ａの一部である長手方向中央部の上端側が、側面視で略矩形状に切り欠かれて切欠部３６が形成されている（図５参照）。切欠部３６の下端部には、外方に向かって略Ｌ字断面形状で突出し下端部の長手方向の略全長に亘って延び出す分岐ハーネス保持部３８が設けられており、分岐ハーネス保持部３８の先端部に分岐ハーネス引出口２６ｃが形成されている。かかる分岐ハーネス保持部３８は、平面視で略三角形状の底壁４０と、底壁４０の外方側の側縁部から上方に向かって突設された側面視で略横長矩形状の側壁４２を有している。そして、側壁４２の前端部が切欠部３６の前端部側のプロテクタ本体１２の側壁２２ａに連結されて、側壁４２が後方斜め手前側に向かって延び出すように形成されている。この結果として、切欠部３６の下端部からの底壁４０の突出寸法が後方斜め手前側に向かって徐々に大きくなっている。また、切欠部３６を設けたことにより、分岐ハーネス保持部３８の開口端面４４が、プロテクタ本体１２の開口端面４６より下方に位置している。
【００２０】
＜本体補強リブ４８＞
さらに、図４〜５に示されているように、分岐ハーネス引出口２６ｃの近傍に位置する、切欠部３６の後端部側のプロテクタ本体１２の側壁２２ａには、正面視で略三角平板形状で外方に向かって突出すると共に側壁２２ａの突出方向に延びる一対の本体補強リブ４８，４８がプロテクタ本体１２の長手方向に離隔して設けられている。かかる本体補強リブ４８と分岐ハーネス保持部３８の分岐ハーネス引出口２６ｃは、ハーネス支持板５０によって連結されている。ハーネス支持板５０は、分岐ハーネス引出口２６ｃから後方斜め手前側に向かって略Ｌ字断面形状で本体補強リブ４８に到るまで延び出して形成されている。より詳細には、ハーネス支持板５０は、分岐ハーネス引出口２６ｃを画成するプロテクタ本体１２の側壁２２ａから側面視で略横長矩形平板形状で外方斜め後方に向かって延び出して構成されている。さらに、ハーネス支持板５０は、側壁２２ａと一対の本体補強リブ４８，４８の突出端部の下端部側を連結する縦板部５０ａと、縦板部５０ａの下端部から分岐ハーネス保持部３８の側壁４２に至らない長さで外方に向かって突設された横板部５０ｂを有しており、プロテクタ本体１２の側壁２２ａに一体形成されている。そして、ハーネス支持板５０の縦板部５０ａと一対の本体補強リブ４８，４８とプロテクタ本体１２の側壁２２ａによって、上下方向に開口する平面視で略矩形状の結束バンド挿通孔５２を有するハーネス固定部５４が設けられている。すなわち、分岐ハーネス引出口２６ｃの近傍に位置するプロテクタ本体１２の側壁２２ａには、本体補強リブ４８に一体形成された結束バンド挿通孔５２が突設されている。かかる結束バンド挿通孔５２は、後述する結束バンド５８のバンド部６０を挿通することによりワイヤハーネス１８の支線１８ｃを分岐ハーネス引出口２６ｃのハーネス固定部５４に対して固定するために設けられている。これにより、分岐ハーネス保持部３８を設けるために切欠部３６が設けられて必要となったプロテクタ本体１２の本体補強リブ４８をうまく利用して、結束バンド挿通孔５２をスペース効率よく設けることができるようになっているのである。また、分岐ハーネス引出口２６ｃから引き出されるワイヤハーネス１８の支線１８ｃを従来の如きベラ部ではなくプロテクタ本体１２の側壁２２ａ側に結束固定することができることから、支線１８ｃの固定構造をよりコンパクトに構成できる。しかも、分岐ハーネス引出口２６ｃに狭幅で強度保障が難しいベラ部を設ける必要がないことから、構造の簡素化を図ることもできる。加えて、ハーネス支持板５０の横板部５０ｂにおける後方側の裏面には、結束バンド挿通孔５２と外方並びに下方に開口してバンド部６０を横板部５０ｂに安定的に保持する略凹溝状の結束バンド保持溝５６が設けられている。これにより、ハーネス支持板５０の横板部５０ｂによってワイヤハーネス１８の支線１８ｃが下方から支持されるようになっている。
【００２１】
＜結束バンド５８＞
ここでは、結束バンド５８を用いて、ワイヤハーネスプロテクタ１０の分岐ハーネス保持部３８に対してワイヤハーネス１８の支線１８ｃを固定する方法について簡単に説明する。かかる固定作業は、プロテクタ本体１２内にワイヤハーネス１８を挿通状態で収容した状態で行われる。より詳細には、結束バンド５８は、例えば図３に示されているように、長方形断面の細長い平板形状とされたバンド部６０を備えており、このバンド部６０の長さ方向一方の端部にヘッド部６２が一体形成されている。周知のとおり、結束バンド５８は合成樹脂材料で一体成形されており、バンド部６０が湾曲変形可能となっている。バンド部６０には、厚さ方向の一方の面に図示しない係止突起が設けられている一方、ヘッド部６２の挿通孔の内部には図示しない係止片が突設されている。そして、バンド部６０をワイヤハーネス１８の支線１８ｃに巻き付けて、バンド部６０をワイヤハーネスプロテクタ１０の結束バンド挿通孔５２に挿し入れると共に結束バンド保持溝５６内を這わせた後、バンド部６０を引っ張ってバンド部６０の係止突起に対して挿通孔内に突設された係止片に係止させる。これにより、ワイヤハーネス１８の支線１８ｃをワイヤハーネスプロテクタ１０のハーネス固定部５４に対して締め付けて固定することができる。なお、図３に示すように、固定後の結束バンド５８はバンド部６０の先端部を切り取られ、先端部分に切断面６４が形成されている。このように結束バンド挿通孔５２に挿通されてワイヤハーネス１８の支線１８ｃに結束固定された結束バンド５８のバンド部６０の切断面６４は上方を向くように形成されており、かかる切断面６４が上方から後述する蓋体１６のカバー部９０によって覆われるようになっている。
【００２２】
＜取付部６６ａ，６６ｂ＞
加えて、側壁２２ａの切欠部３６よりも後方側（図４〜５中、右側）の下端部の外面には、図示しない車体側の支持体に対して固定される平面視で略矩形平板状（図４参照）の１つの取付部６６ａが突設されている。側壁２２ａの長さ方向における取付部６６ａの両側には、正面視で略三角形状（図５参照）で側壁２２ａの外面と取付部６６ａの両側を連結する連結部６８が設けられている。また、側壁２２ａの前端部（図４〜５中、左端部）の外面には、図示しない車体側の支持体に対して固定される略角筒状（図５参照）のもう１つの取付部６６ｂが突設されている。
【００２３】
＜係合枠体７０＞
また、図４〜５に示されているように、プロテクタ本体１２の側壁２２ａ，２２ｂの外面の上方には、外方に向かって突出する平面視で略角括弧形状の係合枠体７０が設けられている。かかる係合枠体７０が後述する蓋体１６に設けられた係合片９６と係合することにより、プロテクタ本体１２の上方開口部１４が蓋体１６により覆蓋された状態が安定して保持されるようになっている。なお、図４に示されているように、本実施形態では、係合枠体７０は、側壁２２ａ，２２ｂに対してそれぞれ７，８個設けられているが、長手方向に離隔して、必要に応じてそれぞれ任意の数を設けてもよい。
【００２４】
＜蓋体１６＞
図６〜７に示されているように、蓋体１６は、ワイヤハーネス１８の長さ方向（図６〜７中、左右方向）に沿って延びる天壁７２と天壁７２の幅方向（図７中、上下方向）両側縁部から下方（図６中、下方）に向かって突出する一対の側壁７４ａ，７４ｂ、を含んで略樋状に延びる構成とされている。すなわち、蓋体１６は、ワイヤハーネス１８の長さ方向に沿って延びて長さ方向に直交する幅方向で対向配置された一対の側壁７４ａ，７４ｂを有しているのである。かかる蓋体１６は、例えばポリプロピレン（ＰＰ）、ポリアミド（ＰＡ）といった合成樹脂により射出成形等によって一体形成されている。
【００２５】
＜補強リブ７８ａ，７８ｂ＞
また、図６〜７に示されているように、蓋体１６の長手方向の前端部側（図６の左側）の側壁７４ａには、略全面に亘って略矩形断面形状の肉抜き穴７６ａが側壁７４ａの外面に開口すると共に縦横方向に略一定距離を隔てて離隔配置されている。かかる肉抜き穴７６ａによって肉抜き穴７６ａ間に略格子状の補強リブ７８ａが形成されている。一方、蓋体１６の長手方向の後端部側（図６の右側）の側壁７４ａには、略矩形断面形状の肉抜き穴７６ｂが、天壁７２に沿って略全長に亘って設けられている。肉抜き穴７６ｂは、側壁７４ａの外面に開口すると共に天壁７２の長さ方向に向かって略一定距離を隔てて離隔配置されている。かかる肉抜き穴７６ｂによって肉抜き穴７６ｂ間に略格子状の補強リブ７８ｂが形成されている。そして、かかる補強リブ７８ａ，７８ｂによって側壁７４ａの強度を維持しつつ、部材の削減が可能となっている。
【００２６】
＜周状突起８２ａ，８２ｂ＞
さらに、図７に示されているように、蓋体１６の天壁７２の下面８０における前端部（図７中、左端部）および後端部（図７中、右端部）には、プロテクタ本体１２に設けられた周状突起２８ａ，２８ｂに対応する位置に周状突起８２ａ，８２ｂが突設されている。かかる周状突起８２ａ，８２ｂと周状突起２８ａ，２８ｂにより、ワイヤハーネス１８の幹線１８ａと分岐線１８ｂ，１８ｂをそれぞれ保護する図示しないコルゲートチューブを、ワイヤハーネスプロテクタ１０の前端部（図１中、左端部）および後端部（図１中、右端部）において固定可能となっている。
【００２７】
＜垂壁部８４，分岐蓋体８８，蓋体補強リブ９２＞
また、図１〜２，４〜６に示されているように、蓋体１６の中央部の側壁７４ａが、プロテクタ本体１２の開口端面４６から分岐ハーネス保持部３８に向かって鉛直方向下方に延び出す側面視で略矩形平板状の垂壁部８４と、垂壁部８４から外方に向かって突出して分岐ハーネス保持部３８の上方開口部８６（図４〜５参照）を覆う平面視で略三角平板形状の分岐蓋体８８（図２，６〜７参照）を含んでいる。かかる分岐蓋体８８の長手方向（図１〜２，６中、左右方向）の中央部と後端部には、正面視で略三角平板形状（図１〜２，６参照）を有し分岐蓋体８８を垂壁部８４に補強支持する蓋体補強リブ９２が、分岐蓋体８８と垂壁部８４に連結して設けられている。
【００２８】
＜カバー部９０＞
また、分岐蓋体８８の後端部側の垂壁部８４には、下方に向かって開口しかつ断面積が下方に向かって増加する略矩形断面の有底箱体形状を有するカバー部９０が外方に向かって突設されている。かかるカバー部９０は、分岐蓋体８８の長手方向の後端部に設けられた蓋体補強リブ９２を含んで構成されている（図１〜３参照）と共に、下方開口部９４が垂壁部８４よりも上方に設けられている。このように、蓋体補強リブ９２によって分岐蓋体８８が垂壁部８４に補強支持されていることから、分岐蓋体８８の強度が確保されて反り等の変形も抑えられて、分岐ハーネス保持部３８の上方開口部８６に対する分岐蓋体８８の組み付けが容易となる。しかも、カバー部９０が蓋体補強リブ９２を含んで構成されていることから、少ない部品点数で剛性や形状安定性が確保されたカバー部９０を蓋体１６に一体成形することができる。
【００２９】
＜係合片９６＞
加えて、図６〜７に示されているように、蓋体１６の側壁７４ａ，７４ｂの外面の下端部には、下方に向かって突出する側面視で略矩形状の複数の係合片９６が板厚方向に撓み変形可能に形成されている。かかる係合片９６がプロテクタ本体１２に設けられた係合枠体７０と係合することにより、プロテクタ本体１２の上方開口部１４が蓋体１６により覆蓋された状態が安定して保持されるようになっている。また、プロテクタ本体１２の上方開口部１４が蓋体１６で覆蓋されることにより、分岐ハーネス保持部３８の上方開口部８６も蓋体１６の分岐蓋体８８によって覆蓋されるようになっている。なお、図７に示されているように、本実施形態では、係合片９６は、側壁７４ａ，７４ｂに対してそれぞれ７，８個設けられているが、長手方向に離隔して、必要に応じてそれぞれ任意の数を設けてもよい。
【００３０】
＜ワイヤハーネスプロテクタ１０＞
このような構造とされた本実施形態のワイヤハーネスプロテクタ１０によれば、ハーネス固定部５４が従来構造のようにハーネス引出口から外方に突出するベラ部に設けられているのではなく、プロテクタ本体１２に設けられている。それゆえ、プロテクタ本体１２の上方開口部１４覆う蓋体１６に設けられたカバー部９０により、結束バンド５８の切断面６４を確実に覆うことができる。すなわち、ハーネス固定部５４の結束バンド挿通孔５２の上方にカバー部９０が配設されることにより、結束バンド挿通孔５２に挿通されてワイヤハーネス１８の支線１８ｃに結束固定された結束バンド５８のバンド部６０の切断面６４は、上方から蓋体１６のカバー部９０によって覆われるようになっている（図３参照）。これにより、かかる切断面６４が外部に露呈することが防止されることから、作業者やユーザが切断面６４に触れたり、ワイヤハーネス１８の配索時に切断面６４が他部材と接触する等の問題が有利に防止されている。また、切断面６４をカバー部９０によって覆うことができることから、見栄えの向上も図ることができる。さらに、カバー部９０が蓋体１６に設けられていることからカバー部９０を比較的容易にワイヤハーネスプロテクタ１０に追加でき、部品点数の増加や取扱性の複雑化を伴うことなく問題を解決することができる。
【００３１】
また、分岐ハーネス引出口２６ｃと結束バンド挿通孔５２が設けられた本体補強リブ４８を連結するハーネス支持板５０がプロテクタ本体１２の側壁２２ａに一体形成されていることから、プロテクタ本体１２の側壁２２ａの強度を向上させつつ、ワイヤハーネス１８の支線１８ｃを下方から支持するハーネス支持板５０を設けることができる。これにより、ワイヤハーネス１８の支線１８ｃの支持を一層安定して行うことができると共に、ワイヤハーネス１８の支線１８ｃの下方側の保護も確保することができる。
【００３２】
加えて、切欠部３６により分岐ハーネス保持部３８の開口端面４４がプロテクタ本体１２の開口端面４６より下方に位置しており、プロテクタ本体１２の開口端面４６から分岐ハーネス保持部３８に向かって延び出す垂壁部８４にカバー部９０が突設されている。このように分岐ハーネス保持部３８の上方の領域をうまく利用することにより、カバー部９０をワイヤハーネスプロテクタ１０の外方に突出して設ける必要がないことから、ワイヤハーネスプロテクタ１０の大型化を伴うことなくカバー部９０を設けることができる。
【００３３】
＜ハーネスアセンブリ＞
本実施形態にかかるワイヤハーネスプロテクタは、例えば、ワイヤハーネスプロテクタと、ワイヤハーネスとを備えたハーネスアセンブリとして用いることができる。
ワイヤハーネスとしては限定されず、例えば、コネクタを備えるワイヤハーネスを用いる事ができる。コネクタを備えるワイヤハーネスを用いる場合、例えば、一部の電線引出口と、コネクタとが嵌合しても良い。この場合、本実施形態に係るワイヤハーネスプロテクタは、例えば、コネクタカバーとしての性能を発揮することができる。これにより、結束バンドの切断面との接触の防止を実現しつつ、コネクタの保護を省スペースで実現できる観点で好ましい。
【００３４】
以上、本発明の複数の実施形態について詳述したが、本発明はこれらの具体的な記載によって限定されない。本発明の目的を達成できる範囲での変形、改良等は本発明に含まれるものである。例えば、上記実施形態では、分岐ハーネス保持部３８が設けられたワイヤハーネスプロテクタ１０において、分岐ハーネス引出口２６ｃから引き出されるワイヤハーネス１８の支線１８ｃを結束固定する結束バンド５８の切断面６４を覆うカバー部９０が蓋体１６に設けられていたが、分岐ハーネス保持部を有しないワイヤハーネスプロテクタに対してもカバー部を設けることにより本発明を同様に実現できる。また、上記実施形態では、結束バンド挿通孔５２を有するハーネス固定部５４は分岐ハーネス引出口２６ｃのみに設けられていたが、これに限定されない。結束バンド挿通孔５２を有するハーネス固定部５４が、分岐ハーネス引出口２６ｃ以外に設けられていてもよいし、すべてのハーネス引出口に設けられていてもよい。
【００３５】
以下、参考形態の例を付記する。
１．  ワイヤハーネスが挿通される樋状のプロテクタ本体と、該プロテクタ本体の上方開口部を覆う蓋体を有し、該プロテクタ本体に設けられたハーネス引出口に、結束バンド挿通孔を有するハーネス固定部が設けられているワイヤハーネスプロテクタにおいて、
上記蓋体が、上記結束バンド挿通孔に挿通されて上記ワイヤハーネスに結束固定された結束バンドの切断面を上方から覆うカバー部を有している
ことを特徴とするワイヤハーネスプロテクタ。
２．  上記プロテクタ本体が、側壁の一部に設けられた切欠部からＬ字断面形状で延び出す分岐ハーネス保持部を含んでいる一方、
上記分岐ハーネス保持部の先端部に設けられた分岐ハーネス引出口の近傍に位置する上記プロテクタ本体の上記側壁には、本体補強リブに一体形成された上記結束バンド挿通孔が突設されており、
上記結束バンド挿通孔の上方に、上記蓋体に設けられた上記カバー部が配設されている１．に記載のワイヤハーネスプロテクタ。
３．  上記分岐ハーネス保持部の上記分岐ハーネス引出口と、上記結束バンド挿通孔が設けられた上記本体補強リブを連結して上記ワイヤハーネスを下方から支持するハーネス支持板が、上記プロテクタ本体の上記側壁に一体形成されている２．に記載のワイヤハーネスプロテクタ。
４．  上記分岐ハーネス保持部の開口端面が、上記プロテクタ本体の開口端面より下方に位置しており、上記蓋体が、上記プロテクタ本体の開口端面から上記分岐ハーネス保持部に向かって延び出す垂壁部と、該垂壁部から突出して上記分岐ハーネス保持部の上方開口部を覆う分岐蓋体を含んでおり、
上記カバー部が上記垂壁部に突設されている２．または３．に記載のワイヤハーネスプロテクタ。
５．  上記分岐蓋体を上記垂壁部に補強支持する蓋体補強リブが上記分岐蓋体と上記垂壁部に連結して設けられていると共に、上記カバー部が上記蓋体補強リブを含んで構成されている４．に記載のワイヤハーネスプロテクタ。
【００３６】
１．によれば、蓋体が、結束バンド挿通孔に挿通されてワイヤハーネスに結束固定された結束バンドのバンド切断面を上方から覆うカバー部を有している。それゆえ、結束バンドの切断面が外部に露呈することが防止され、作業者やユーザが怪我をしたり、ワイヤハーネスの配索時にバンド切断面が他部材と接触する等の問題が有利に防止されるようになっている。しかも、カバー部は蓋体に設けられていることから、部品点数の増加や取扱性の複雑化を伴うことなく、カバー部を追加して問題を解決することができる。さらに、結束バンドの切断面をカバー部で覆うことができることから、見栄えの向上も図ることができる。
【００３７】
２．によれば、蓋分岐ハーネス保持部を設けるために、切欠部が設けられ補強が必要となったプロテクタ本体の本体補強リブをうまく利用して、結束バンド挿通孔をスペース効率よく設けることができる。しかも、分岐ハーネス引出口から引き出されるワイヤハーネスをプロテクタ本体の側壁側に結束固定することができることから、分岐ハーネスの固定構造をよりコンパクトに構成することができ、分岐ハーネス引出口に強度保障が難しいベラ部を設ける必要がなく、構造の簡素化を図ることもできる。
【００３８】
３．によれば、分岐ハーネス引出口と結束バンド挿通孔が設けられた本体補強リブを連結するハーネス支持板が、プロテクタ本体の側壁に一体形成されており、プロテクタ本体の側壁の強度を向上させつつ、ワイヤハーネスを下方から支持するハーネス支持板を設けることができる。これにより、分岐ハーネス引出口から引き出されるワイヤハーネスの保持を一層安定して行うことができ、ワイヤハーネスの下方側の保護も確保することができる。
【００３９】
４．によれば、分岐ハーネス保持部の開口端面が、プロテクタ本体の開口端面より下方に位置しており、プロテクタ本体の開口端面から分岐ハーネス保持部に向かって延び出す垂壁部にカバー部が突設されている。これにより、ワイヤハーネスプロテクタの大型化を伴うことなく、カバー部を設けることができる。
【００４０】
５．によれば、蓋体補強リブによって分岐蓋体が支持されていることから、分岐蓋体の強度が確保されて反り等の変形も抑えられることから、分岐蓋体と分岐ハーネス保持部の組み付けも容易となる。しかも、カバー部が蓋体補強リブを含んで構成されていることから、少ない部品点数で剛性や形状安定性が確保されたカバー部を蓋体に一体成形することができる。
【００４１】
この出願は、２０１７年１１月２３日に出願された日本出願特願２０１７-２２５２７６号を基礎とする優先権を主張し、その開示の全てをここに取り込む。
【図１】
2019103030.tif 000003
【図２】
2019103030.tif 000004
【図３】
2019103030.tif 000005
【図４】
2019103030.tif 000006
【図５】
2019103030.tif 000007
【図６】
2019103030.tif 000008
【図７】
2019103030.tif 000009
【手続補正書】
【提出日】令和2年3月6日(2020.3.6)
【手続補正１】
【補正対象書類名】明細書
【補正対象項目名】００１７
【補正方法】変更
【補正の内容】
【００１７】
＜プロテクタ本体１２＞
図４〜５に示されているように、プロテクタ本体１２は、ワイヤハーネス１８の長さ方向（図４〜５中、左右方向）に沿って延びる底壁２０と、底壁２０の幅方向（図４中、上下方向）両側縁部から立ち上がる一対の側壁２２ａ，２２ｂとを含んで樋状に延びる構成とされている。すなわち、プロテクタ本体１２は、ワイヤハーネス１８の長さ方向に沿って延びて長さ方向に直交する幅方向で対向配置された一対の側壁２２ａ，２２ｂを有しているのである。
かかるプロテクタ本体１２は、例えばポリプロピレン（ＰＰ）、ポリアミド（ＰＡ）といった合成樹脂により射出成形等によって一体形成されている。なお、プロテクタの位置、形状、用途に応じて、プロテクタ本体１２に対して、プロテクタ本体１２とは別体の部品を取り付けることは限定されない。
また、図５に示されているように、プロテクタ本体１２は、全体として、プロテクタ本体１２の長手方向（図４中、左右方向）両端部分が下方傾斜された下方傾斜部２４ａ，２４ｂを有している。
【手続補正２】
【補正対象書類名】明細書
【補正対象項目名】００３７
【補正方法】変更
【補正の内容】
【００３７】
２．によれば、分岐ハーネス保持部を設けるために、切欠部が設けられ補強が必要となったプロテクタ本体の本体補強リブをうまく利用して、結束バンド挿通孔をスペース効率よく設けることができる。しかも、分岐ハーネス引出口から引き出されるワイヤハーネスをプロテクタ本体の側壁側に結束固定することができることから、分岐ハーネスの固定構造をよりコンパクトに構成することができ、分岐ハーネス引出口に強度保障が難しいベラ部を設ける必要がなく、構造の簡素化を図ることもできる。
【国際調査報告】
2019103030.tif 000010
2019103030.tif 000011
2019103030.tif 000012